(57)【要約】【課題】リンクロスが発生した場合に、ユーザからの要求に応じて通話を継続するか否かを制御することを可能にする。【解決手段】無線通信端末１０は、通話網１２を介した相手との回線を接続すると共に車載機器１２と近距離無線通信により接続し、車載機器１２においてハンズフリー機能により音声通話が可能となるようにする。無線通信端末１０は、車載機器１２との間で近距離無線通信により確立された通信リンクの切断を検知すると、この切断が検知されてから一定時間が経過したと判別されるまでの間に、例えば入力部２５に対する入力操作によって通話網１４を介した通話の継続要求が入力された場合に、無線通信部２１による通話網１４との接続を維持する。【選択図】図１
2010252354.tif 000002
【特許請求の範囲】
【請求項１】
通話網に収容された基地局との間で無線通信すると共に他の機器とＢｌｕｅｔｏｏｔｈによる近距離無線通信により接続する無線端末装置において、
前記近距離無線通信により通信リンクを確立する近距離無線通信手段と、
ＨＦＰ（Hands Free Profile）に基づくハンズフリー機能を制御するもので、前記他の機器に対するハンズフリーサービスを制御するハンズフリー制御手段と、
前記ハンズフリー制御手段により前記他の機器に対してハンズフリーサービスを提供している時に前記他の機器との間で近距離無線通信により確立された前記通信リンクの切断が発生したことを検知する切断検知手段と、
前記切断検知手段によって切断が検知されてから一定時間が経過したか判別する判別手段と、
前記判別手段により一定時間が経過したと判別されるまでの間に、前記通話網を介した通話の継続要求を入力する継続要求入力手段と、
前記継続要求入力手段によって通話の継続要求が入力された場合に、前記通話網との接続を維持する通話制御手段と
を具備したことを特徴とする無線端末装置。
【請求項２】
音声を入出力する音声入出力手段と、
前記通話網と前記他の機器と共に接続されている場合に、前記他の端末と前記通話網との間で音声データが送受信される第１の経路と、前記継続要求入力手段によって通話の継続要求が入力された場合に、前記音声入出力手段と前記通話網との間で音声データが送受信される第２の経路の何れかに経路を切り替える音声経路切り替え手段と
を具備したことを特徴とする請求項１記載の無線端末装置。
【請求項３】
前記継続要求入力手段は、複数の入力操作のうち任意の１つの入力操作により、通話の継続要求を入力することを特徴とする請求項１記載の無線端末装置。
【請求項４】
前記切断検知手段により通信リンクの切断が発生したことが検知された場合に、異常切断をユーザに通知するためのメッセージを表示する表示手段をさらに具備したことを特徴とする請求項１記載の無線端末装置。
【請求項５】
２つの筐体を結合し、開状態と閉状態にすることが可能な形状に前記無線端末装置を構成し、
前記筐体の開閉状態を検知する検知手段を設け、
前記継続要求入力手段は、前記検知手段が開状態を検知することにより前記通話継続要求を入力することを特徴とする請求項１記載の無線端末装置。
【請求項６】
前記ハンズフリー制御手段は、前記通話制御手段によって前記通話網との接続が維持され、前記他の機器との間で近距離無線通信による通信リンクが復旧すると、ハンズフリー機能により前記他の機器において通話が可能な状態に制御することを特徴とする請求項１記載の無線端末装置。
【発明の詳細な説明】
【技術分野】
【０００１】
この発明は、通話網と接続すると共に他の機器と近距離無線通信により接続する無線端末装置に関する。
【背景技術】
【０００２】
Ｂｌｕｅｔｏｏｔｈ（登録商標）の技術を使用した近距離無線通信が可能な携帯電話機（無線端末装置）は、サーバ端末として機能して、他の機器、例えば（車載機器やパーソナルコンピュータなど）に対して各種のサービスを提供することができる。例えば、携帯電話機は、カーナビゲーションシステムなどの車載機器に対して、ハンズフリーサービスを提供することができる。車載機器では、ハンズフリーサービスの提供を受けることで、携帯電話機により通話網を介して接続される相手との通話を、携帯電話機を介して行なうことができる。
【０００３】
この種、携帯電話機は、車載機器との通信リンクが異常切断（リンクロス）した場合には、この車載機器との再接続、あるいは通話中の呼の切断などの処理を実行する。
【０００４】
例えば、非特許文献１には、サービスレベルコネクションのための推奨事項（15頁）として、”Cellular Phone（携帯電話機）とCar Equipment（車載機器）との間のService Level Connectionにリンクロスが生じると、Car EquipmentはService Level Connectionの再接続を実行することが示されている。
【０００５】
また、非特許文献１において、”4.6 異常シーケンスに関する推奨事項（18頁）”には、Serevice Level Connectionのリンクロスが検出されると、Cellular Phoneは通話中の呼をすぐ切断、一定時間維持しこの時間が経過すると切断、通話中の呼を維持するの３通りの実装方法が示されている。通話中の呼を維持したときについては、Cellular PhoneとCar Equipmentと間で新しいSerevice Level Connectionが形成されると、Cellular PhoneからCar Equipmentへ通話中の呼を転送することが示されている。
【０００６】
また、”6.3.1. Service level connection loss during an ongoing call（87頁）”には、リンクロスが生じた後、一定時間が経過すると呼をリリースすることが示されている。
【先行技術文献】
【非特許文献】
【０００７】
【非特許文献１】「MCPC TR-00x Ver.1.0 HANDS FREE PROFILE テクニカルリファレンス」, Ver.1.0, 2003年12月25日, p.15, p.87
【発明の概要】
【発明が解決しようとする課題】
【０００８】
前述した非特許文献１に開示された技術では、リンクロスが検出されると、携帯電話機は通話中の呼をすぐ切断、一定時間維持しこの時間が経過すると切断、あるいは通話中の呼を維持する、の何れかの機能が実装されることになる。すなわち、携帯電話機と車載機器との間でリンクロスが発生した場合には、携帯電話機による通話網との接続制御が、ユーザの意図とは関係なく実行されてしまう。
【０００９】
この発明は上記事情に着目してなされたもので、その目的とするところは、リンクロスが発生した場合に、ユーザからの要求に応じて通話を継続するか否かを制御することが可能な無線端末装置を提供することにある。
【課題を解決するための手段】
【００１０】
上記目的を達成するためにこの発明は、通話網に収容された基地局との間で無線通信すると共に他の機器とＢｌｕｅｔｏｏｔｈによる近距離無線通信により接続する無線端末装置において、前記近距離無線通信により通信リンクを確立する近距離無線通信手段と、ＨＦＰ（Hands Free Profile）に基づくハンズフリー機能を制御するもので、前記他の機器に対するハンズフリーサービスを制御するハンズフリー制御手段と、前記ハンズフリー制御手段により前記他の機器に対してハンズフリーサービスを提供している時に前記他の機器との間で近距離無線通信により確立された前記通信リンクの切断が発生したことを検知する切断検知手段と、前記切断検知手段によって切断が検知されてから一定時間が経過したか判別する判別手段と、前記判別手段により一定時間が経過したと判別されるまでの間に、前記通話網を介した通話の継続要求を入力する継続要求入力手段と、前記継続要求入力手段によって通話の継続要求が入力された場合に、前記通話網との接続を維持する通話制御手段とを具備したことを特徴とする。
【発明の効果】
【００１１】
この発明によれば、他の機器との間で近距離無線通信により確立された通信リンクの切断が検知された場合には、この切断が検知されてから一定時間が経過したと判別されるまでの間に、通話網を介した通話の継続要求が入力された場合には接続を維持し、継続要求が入力されなかった場合には切断することで、リンクロス発生時にユーザが意図する通話制御を実行させることができる。
【図面の簡単な説明】
【００１２】
【図１】本実施形態におけるシステムの構成を示すブロック図。
【図２】本実施形態におけるリンクロス時の通話制御方法について説明するためのフローチャート。
【図３】本実施形態における無線通信端末１０と車載機器１２とのリンクロス発生時のシーケンスを示す図。
【図４】本実施形態における無線通信端末１０と車載機器１２とのリンクロス発生時のシーケンスを示す図。
【発明を実施するための形態】
【００１３】
以下、図面を参照して本発明の実施の形態について説明する。
【００１４】
図１は、本実施形態におけるシステムの構成を示すブロック図である。図１では、例えば携帯電話機として構成される無線通信端末１０がサービスを提供するサーバ端末として動作し、例えば無線通信端末１０との間で無線通信が可能な車載機器１２が無線通信端末１０に対してサービスの提供を要求するものとする。車載機器１２は、例えばカーナビゲーションシステムとして構成されるもので、ＧＰＳ（Global Positioning System）を利用して現在位置を算出し、地図画面上に現在位置を表示し、目的地へのルートをガイドする機能を有している。
【００１５】
無線通信端末１０が提供するサービスとしては、例えばハンズフリーサービス、データ通信サービスなどがある。例えばハンズフリーサービスの提供を受けることで、車載機器１２では、自機に設けられたマイクとスピーカを利用して、無線通信端末１０により通話網を介して接続される相手との通話を、無線通信端末１０を介して行なうことができる。
【００１６】
無線通信端末１０は、例えば携帯電話機として構成されるもので、通話網１４に収容された基地局との間で無線通信をする機能を有する。また、無線通信端末１０は、車載機器１２との間で例えばＢｌｕｅｔｏｏｔｈの規格に従う近距離無線通信を行う機能を有する。
【００１７】
図１に示すように、無線通信端末１０には、制御部２０、無線通信部２１、ハンズフリー制御部２２、近距離無線通信部２３、表示部２４、入力部２５、音声入力部２６、音声出力部２７、及び音声パス切替部２８が設けられている。
【００１８】
制御部２０は、ＣＰＵ、ＲＯＭ及びＲＡＭなどを有してなるもので、ＣＰＵがＲＯＭに記憶される制御プログラムや制御データに従って各部を統括して制御する。制御部２０による制御により通話網１４を介した音声通話やデータ通信、車載機器１２との間の通信、車載機器１２などの他の機器に対する各種サービスの提供等を実現する。例えば、制御部２０は、ハンズフリー制御部２２を制御して、近距離無線通信部２３を介して車載機器１２に対してハンズフリーサービスを提供させる。
【００１９】
ハンズフリー制御部２２は、例えばＨＦＰ（Hands Free Profile）仕様書（Ｂｌｕｅｔｏｏｔｈ ＳＩＧ）に基づくハンズフリー機能を制御するもので、近距離無線通信部２３を介して接続される車載機器１２からの呼制御や通話を制御する。
【００２０】
近距離無線通信部２３は、例えばＢｌｕｅｔｏｏｔｈの技術に従う近距離無線通信を制御する。
【００２１】
無線通信部２１は、移動通信システムの通話網１４に収容された基地局との通信を行なう。
【００２２】
表示部２４は、ディスプレイへの表示を制御する。
【００２３】
入力部２５は、ユーザ操作によるボタンやキーからの入力を制御する。
【００２４】
音声入力部２６は、マイクロホン、アンプ、バンドパスフィルタ、Ａ／Ｄ変換回路などからなり、ユーザの送話音声を入力して送話音声データを生成する。
【００２５】
音声出力部２７は、Ａ／Ｄ変換回路、アンプ、スピーカなどからなり、受信した音声データに応じた音声を拡声出力する。
【００２６】
音声パス切替部２８は、無線通信部２１により通話網１４と接続され、近距離無線通信部２３により車載機器１２と接続されている場合に、車載機器１２と通話網１４（通話相手）との間で音声データが送受信される第１の経路と、音声入力部２６及び音声出力部２７と通話網１４との間で音声データが送受信される第２の経路の何れかに経路（音声パス）を切り替える制御を実行する。音声パス切替部２８は、車載機器１２とのリンクロスが発生した場合に。一定時間内に通話継続要求が入力された場合に、第１の経路から第２の経路に音声バスを切り替える。
【００２７】
また、図１に示すように、車載機器１２は、制御部３０、ハンズフリー制御部３１、近距離無線通信部３２、ナビゲーション部３３、表示部３４、入力部３５、音声入力部３６、及び音声出力部３７が設けられている。
【００２８】
制御部３０は、ＣＰＵ、ＲＯＭ及びＲＡＭなどを有してなるもので、ＣＰＵがＲＯＭに記憶される制御プログラムや制御データに従って各部を統括して制御する。制御部３０による制御によりカーナビゲーションシステム、無線通信端末１０からのサービスを受けて音声通話やデータ通信等を実現する。例えば、制御部３０は、ハンズフリー制御部３１を制御して、近距離無線通信部３２（無線通信端末１０）を介したハンズフリーによる通話を実行させる。
【００２９】
ハンズフリー制御部３１は、例えばＨＦＰ（Hands Free Profile）仕様書（Ｂｌｕｅｔｏｏｔｈ ＳＩＧ）に基づくハンズフリー機能を制御するもので、近距離無線通信部３２を介して接続される無線通信端末１０を通じた呼制御や通話を制御する。
【００３０】
近距離無線通信部３２は、例えばＢｌｕｅｔｏｏｔｈの技術に従う近距離無線通信を制御する。
【００３１】
ナビゲーション部３３は、ＧＰＳを利用して現在位置を算出し、地図画面上に現在位置を表示し、目的地へのルートをガイドする機能を実現する。
【００３２】
表示部３４は、ディスプレイへの表示を制御する。
【００３３】
入力部３５は、ユーザ操作によるボタンやキーからの入力を制御する。
【００３４】
音声入力部３６は、マイクロホン、アンプ、バンドパスフィルタ、Ａ／Ｄ変換回路などからなり、ナビゲーション部３３に対する音声認識を利用した制御のための音声入力、あるいはハンズフリー機能を利用する場合のユーザの送話音声を入力して送話音声データを生成する。
【００３５】
音声出力部３７は、Ａ／Ｄ変換回路、アンプ、スピーカなどからなり、ナビゲーション部３３による処理に応じた音声（ルート案内音声や各種情報提供用の音声など）や、ハンズフリー機能を利用している場合に無線通信端末１０から受信された音声データに応じた音声を拡声出力する。
【００３６】
次に、本実施形態におけるリンクロス時の通話制御方法について、図２に示すフローチャートを参照しながら説明する。
【００３７】
また、図３及び図４は、無線通信端末１０と車載機器１２とのリンクロス発生時のシーケンスを示す図である。
【００３８】
例えば、車載機器１２が搭載された自動車内に、無線通信端末１０を保持したユーザが乗車したものとする。ここで、無線通信端末１０の近距離無線通信部２３は、サーバ起動され、他の機器からの接続要求の待ち状態となっているものとする。また、車載機器１２は、近距離無線通信部３２によりクライアント起動されて、接続要求を送信しているものとする。
【００３９】
無線通信端末１０は、近距離無線通信部２３により車載機器１２からの接続要求を受信し、車載機器１２との間で所定の手続きにより通信リンクを確立する。車載機器１２は、無線通信端末１０と通信リンクが確立されると、近距離無線通信部３２を通じて無線通信端末１０に対してハンズフリーサービスの利用を指定する。
【００４０】
制御部２０は、近距離無線通信部２３を通じて車載機器１２からのハンズフリーサービスの指定を受け取ると、ハンズフリー制御部２２を起動し、車載機器１２に対してハンズフリーサービスの提供を開始する。
【００４１】
ここで、車載機器１２は、例えば入力部３５に対する操作によって、通話相手に対する発呼の要求が入力されたものとする。車載機器１２は、ハンズフリー制御部３１により近距離無線通信部３２を通じて、無線通信端末１０に対して発呼を要求する。
【００４２】
無線通信端末１０は、車載機器１２からの要求に応じて、無線通信部２１により通話網１４を通じて通話相手との回線を接続して通話可能な状態にする。
【００４３】
すなわち、無線通信端末１０は、無線通信部２１によって通話網１４を介して通話相手と接続されると、音声パス切替部２８により、車載機器１２において音声通話ができるように音声パスを車載機器１２側に切り替える。
【００４４】
これにより、車載機器１２は、自機器に搭載されたマイクにより音声を入力して、無線通信端末１０を介して通話相手に送信し、また通話相手からの音声を無線通信端末１０を介して受信して自機に搭載されたスピーカから出力させて通話をすることができる。
【００４５】
無線通信端末１０の制御部２０は、車載機器１２との間で通信リンクが確立された状態にあり、ハンズフリー制御部２２により車載機器１２に対してハンズフリーサービスを提供している時（通話中）にリンクロス（異常切断）が発生したかを監視している（ステップＡ２）。
【００４６】
ここで、例えば車載機器１２が搭載されている自動車が停止され、車載機器１２に対する電源供給が遮断されることによって、近距離無線通信部３２の動作が停止し、無線通信端末１０との通信リンクが切断されたものとする。
【００４７】
無線通信端末１０の制御部２０は、車載機器１２とのリンクロスを検出すると（ステップＡ２、Ｙｅｓ）、リンクロスからの一定時間の経過、例えば５秒の経過を計時するためのタイマを起動する（ステップＡ３）。無線通信端末１０は、リンクロスから５秒が経過した時点で、無線通信部２１による通話網１４を介した相手との通話を切断するように構成されている。
【００４８】
無線通信端末１０の制御部２０は、車載機器１２との間のリンクロス発生に対して、異常切断をユーザに通知するための出力を行う（ステップＡ４）。例えば、制御部２０は、音声出力部２７から異常切断を表す所定の音を出力させる、あるいは表示部２４において警告メッセージなどを表示させる。また、無線通信端末１０に着信などを通知する際に駆動されるバイブレータが設けられている場合には、このバイブレータを駆動して、振動によってユーザに対して異常切断を通知するようにしても良い。
【００４９】
なお、車載機器１２を用いてハンズフリーにより通話を行っている場合、ユーザは、車載機器１２と無線通信端末１０との通信リンクの切断により、通話相手の音声が切断されたことによっても異常発生を知ることができる。ただし、前述したように、無線通信端末１０から異常切断発生を通知するための出力を行うことで、より明確かつ短時間に異常切断を認知させて、通話継続要求の入力操作が直ちにできるようにしている。
【００５０】
ここで、タイマによって一定時間（例えば５秒）の計時が完了したものとする（ステップＡ６、Ｙｅｓ）。この場合、制御部２０は、無線通信部２１による、通話網１４を介した通話相手との回線を切断して処理を終了する（ステップＡ７）。
【００５１】
図３には、通信リンクが異常切断した場合に、ユーザから一定時間内に通話継続要求が入力されなかった場合の状況を示している。図３に示すように、通話継続要求が入力されなかった場合には、一定時間通話を維持した後に通話を切断する。
【００５２】
一方、タイマによって一定時間の計時が完了する前にユーザの入力操作により通話継続要求が入力されたものとする（ステップＡ５、Ｙｅｓ）。通話継続要求は、例えば、入力部２５の特定のキーに対する入力操作によって入力することができるものとする。この場合、制御部２０は、音声パス切替部２８に対して、音声パスを自機側、すなわち音声入力部２６と音声出力部２７とを用いて音声通話が可能となるように音声パスを切り替えさせる（ステップＡ８）。
【００５３】
また、制御部２０は、無線通信部２１により通話網１４を介して接続されている通話相手との通話状態を維持する。
【００５４】
図４には、通信リンクが異常切断した場合に、ユーザから一定時間内に通話継続要求が入力された場合の状況を示している。図４に示すように、通話継続要求が入力された場合には、音声パスを自機側に切り替えて、通話網１４を介して接続された相手との通話を継続する。
【００５５】
このようにして、無線通信端末１０は、車載機器１２とのリンクロスが発生した場合には、一定時間内にユーザから通話継続要求が入力された場合には、通話相手との通話状態を維持し、音声パスを自機側に切り替える。従って、ユーザは、車載機器１２に代えて、無線通信端末１０を用いて通話を続けることが可能となる。
【００５６】
なお、前述した説明では、無線通信端末１０の入力部２５に対する入力操作によって、通話継続要求を指示できるものとして説明しているが、その他の入力方法を用いて通話継続要求を入力するようにしても良い。
【００５７】
例えば、前述した説明では、入力部２５の特定のキーに対する操作によって入力するとしているが、リンクロス発生時の通話継続要求の入力では、何れのキーに対する操作であっても通話継続要求の入力であると判別するようにしても良い。すなわち、操作キーを特定しないことで、無線通信端末１０がどのような状態であっても、短時間に簡単かつ確実に通話継続要求を入力することができる。
【００５８】
また、制御部２０に音声認識機能を設け、一定時間内に例えば所定のキーワードを音声入力することで、通話継続要求を入力できるようにしても良い。例えば、一定時間内に「通話継続」と発声することで音声入力部２６から音声データを入力し、この音声データに対して予め登録されている音声認識データを用いて音声認識処理を実行する。制御部２０は、音声認識処理によって予め登録されているキーワード「通話継続」の音声が入力されたと認識できた場合には、通話継続要求が入力されたものとして判別する。なお、この場合、制御部２０は、リンクロス発生時に、直ちに音声パス切替部２８により音声パスを自機側に切替させて、音声入力部２６からの音声入力が可能な状態にしておくものとする。音声入力により通話継続要求が入力できるようにすることで、無線通信端末１０に対して手動操作ができない状況であっても、短時間に簡単に通話継続要求を入力することができる。
【００５９】
あるいは、無線通信端末１０が２つの筐体をヒンジ機構によって結合し、２つの筐体を開状態から閉状態に折り畳み可能とした形状をしている場合に、通常、音声通話する場合の状態（開状態）にされることで通話継続要求を入力するようにしても良い。ヒンジ機構には開閉状態を検知する検知手段（スイッチ、センサなど）が設けられており、制御部２０は、リンクロス発生した後、この検知手段による検知状態を監視して、開状態にされたことを判別することで通話継続要求を入力する。
【００６０】
さらに、前述した何れかの方法を用いて入力するのではなく、リンクロス発生時には何れの方法によっても通話継続要求が入力されるようにしても良い。すなわち、リンクロスが発生してから一定時間内に通話継続要求を入力する必要があるため、リンクロス発生時にユーザが最も入力し易い入力操作を任意に選択して通話継続要求を入力できるようにする。これにより、短時間（例えば５秒）であっても、ユーザが慌てることなく容易に通話継続要求を入力して、音声通話を継続させることが可能となる。
【００６１】
なお、前述した説明では、リンクロス発生時に通話網１４を介した相手との通話を継続させる場合について説明しているが、一定時間内に通話切断要求を入力するようにしても良い。この場合、制御部２０は、通話切断要求が入力された時点で、一定時間の経過を待つことなく、無線通信部２１により通話を切断させるものとする。通話切断要求の入力方法は、前述した通話継続要求と同様の方法を用いて入力できるものとする。例えば、入力部２５に通話切断要求を入力するための特定のボタン（あるいはキー）を割り当て、このボタンに対する入力操作によって入力する。また、音声認識機能を利用する場合には、通話継続要求とは異なるキーワード、例えば「通話切断」の音声を入力することで、通話切断要求を入力する。また、筐体を閉状態に折り畳むことにより、通話切断要求を入力するようにしても良い。
【００６２】
また、前述した説明では、無線通信端末１０と車載機器１２との通信リンクにリンクロスが発生した場合のリンクロス復旧について説明していないが、例えばリンクロスが発生してから所定時間内（例えば通話切断を判断するための一定時間（５秒）より長い時間（例えば３０秒））であれば、無線通信端末１０は、車載機器１２との間のリンクロス復旧のための処理を実行するものとする。
【００６３】
この場合、リンクロスが発生した後、ユーザからの通話継続要求に応じて通話が維持された際には、リンクロス復旧により無線通信端末１０と車載機器１２との通信リンクが復旧されると、再度、ハンズフリー機能により車載機器１２において通話が可能な状態に戻して良い。また、リンクロスの復旧ができた場合に、車載機器１２において通話が可能な状態に戻すか否かは、ユーザからの指示に応じて行っても良いし、予めユーザにより何れかに設定できるようにしても良い。さらに、リンクロスが発生した後、ユーザから通話継続要求が入力されなかった場合には、リンクロス復旧を行わないようにしても良い。
【符号の説明】
【００６４】
１０…無線通信端末、１２…車載機器、１４…通話網、２０，３０…制御部、２１…無線通信部、２２，３１…ハンズフリー制御部、２３，３２…近距離無線通信部、２４，３４…表示部、２５，３５…入力部、２６，３６…音声入力部、２７，３７…音声出力部、２８…音声パス切替部、３３…ナビゲーション部。
【図１】
2010252354.tif 000003
【図２】
2010252354.tif 000004
【図３】
2010252354.tif 000005
【図４】
2010252354.tif 000006